(57)【特許請求の範囲】
【請求項１】
フェンスパネルを支持する胴縁が、支柱を貫通させた連結桿により支柱と連結されて成るフェンスにおいて、
支柱には、胴縁を連結するべき位置に連結桿を貫通させる孔が設けられており、該孔は前記連結桿の入り口部分の口径が大きく、出口部分の口径を小さく形成されていること、
連結桿は、支柱の前記孔へ挿入する先側部分の外径が前記出口部分の孔口径よりも小さく、他の部分の外径は支柱の前記出口部分の孔口径よりは大きく、前記入り口部分の孔口径よりも小さく形成されており、連結桿は支柱の孔に対して一方向にのみ通すことが可能に構成されていること、
連結桿のうち支柱の孔の入り口部分の外側へ露出する端部に、前記胴縁をその両側から挟み付けて支持するブラケットが取り付けられており、該ブラケットは一対の挟み具から成り、一方の挟み具は連結桿の前記端部の先端と一体的に接合され、他方の挟み具には連結桿の前記端部を通す孔を設け、同孔へ連結桿を通して組み合わされていること、
連結桿は支柱の孔へ貫通され、胴縁はブラケットを構成する前記一対の挟み具でその端部両側を挟み付けて支持され、連結桿の先側部分が支柱へ固定されていることを特徴とする、フェンス。
【請求項２】
連結桿のうち、支柱の孔へ挿入する先側部分がネジ部として形成され、該ネジ部にナットを締結して胴縁の支持、固定が行われていることを特徴とする、請求項１に記載したフェンス。
【請求項３】
連結桿のうち、支柱の孔へ挿入する先側部分に止め孔が形成され、前記止め孔に止めピン又はコッタを差して胴縁の支持、固定が行われていることを特徴とする、請求項１に記載したフェンス。
【発明の詳細な説明】
【技術分野】
【０００１】
この発明は、フェンスを構成する胴縁、骨線、有刺鉄線等の水平部材を支柱に連結して構築されたフェンスの技術分野に属し、更に言えば、前記水平部材と支柱は、支柱を貫通させたボルトその他の連結桿により連結されたフェンスに関する。
【背景技術】
【０００２】
通例のフェンスは、図９と図１０に例示したように、地面６に立てた左右の支柱１、１に上下の胴縁２、２や中間の骨線３、或いは忍び返しを構成する有刺鉄線４などの水平部材が支持され、前記上下の胴縁２、２及び骨線３により、図示した金網５をはじめとするフェンスパネルを支持させた構成が一般的である。
前記胴縁２や骨線３、或いは有刺鉄線４などの水平部材を支柱１へ支持させる手段としては、各種の連結金具（継手を含む）や通常のボルト或いは特殊形状に加工されたフックボルト等の連結桿を使用して支柱に連結した構成が一般的に実施されている。
【０００３】
なお、下記の特許文献１には、連結桿の実施例として、一端側に水平部材であるアングル（胴縁）の水平辺、或いは骨線を抱え持つフック形状部が形成され、他端側の軸部にネジ部を形成し、支柱の孔へ通したネジ部へ反対側からナットを締結して固定する止め金具が開示されている。
特許文献２には、水平部材である骨線を抱え持つフック形状部材と、支柱の孔へ通したボルトとをナット部材を介して連結する構成の柵用線材止め金具が開示されている。
特許文献３には、水平部材であるアングルを抱え持つ形状の保持部材に、ボルトの軸部を一体的に接合して成る金網柵用連結金具が開示されている
【０００４】
【特許文献１】実開平５−１７０３９号公報
【特許文献２】意匠登録第８０２２２０号公報
【特許文献３】意匠登録第６５２３４２号公報
【発明の開示】
【発明が解決しようとする課題】
【０００５】
フェンスの各構成部材は、すべて工場加工とされ、現地では施工業者が各構成部材を組み合わせてフェンスを構築するのが一般的である。ところで、これまでのフェンスは、フェンスパネルを支柱へ取り付ける場合、支柱の取り付け位置に前後方向にボルト挿入用孔が設けられているが、同孔の口径は全て同一であるため、フェンスパネルを前後逆に取り付けてしまう場合があった。
【０００６】
本発明の目的は、胴縁の取り付け位置の誤り、ひいては前記胴縁で支持され又は構成されるフェンスパネルの取り付け位置を前後逆に取り付けてしまう誤作業を物理的、機械的に確実に未然に防止できる構成に改良したフェンスを提供することである。
【課題を解決するための手段】
【０００７】
上記従来技術の課題を解決するための手段として、請求項１に記載した発明に係るフェンスは、
フェンスパネルを支持する胴縁２が、支柱１を貫通させた連結桿１０により支柱１と連結されて成るフェンスにおいて、
支柱１には、胴縁２を連結するべき位置に連結桿１０を貫通させる孔１１ａ、１１ｂが設けられており、該孔は前記連結桿１０の入り口部分の口径が大きく、出口部分の口径を小さく形成されていること、
連結桿１０は、支柱１の前記孔１１ａ、１１ｂへ挿入する先側部分１０ｂの外径が前記出口部分の孔１１ｂの口径よりも小さく、他の部分１０ａの外径は支柱１の前記出口部分の孔１１ｂの口径よりは大きく、前記入り口部分の孔１１ａの口径よりも小さく形成されており、連結桿１０は支柱１の孔１１ａ、１１ｂに対して一方向にのみ通すことが可能に構成されていること、
連結桿１０のうち支柱１の孔の入り口部分の外側へ露出する端部に、前記胴縁２をその両側から挟み付けて支持するブラケット１２が取り付けられており、該ブラケット１２は一対の挟み具１２ａと１２ｂから成り、一方の挟み具１２ａは連結桿１０の前記端部の先端と一体的に接合され、他方の挟み具１２ｂには連結桿１０の前記端部を通す孔１２ｃを設け、同孔１２ｃへ連結桿１０を通して組み合わされていること、
連結桿１０は支柱１の孔１１ａ、１１ｂへ貫通され、胴縁２はブラケット１２を構成する前記一対の挟み具１２ａ、１２ｂでその端部両側を挟み付けて支持され、連結桿１０の先側部分１０ｂが支柱１へ固定されていることを特徴とする。
【０００８】
請求項２に記載した発明は、請求項１に記載したフェンスにおいて、
連結桿１０のうち、支柱１の孔１１ａ、１１ｂへ挿入する先側部分１０ｂがネジ部１０ｃとして形成され、該ネジ部１０ｃにナット１３を締結して胴縁２の支持、固定が行われていることを特徴とする。
【０００９】
請求項３に記載した発明は、請求項１に記載したフェンスにおいて、
連結桿１０のうち、支柱１の孔１１ａ、１１ｂへ挿入する先側部分１０ｂに止め孔が形成され、前記止め孔に止めピン又はコッタを差して胴縁２の支持、固定が行われていることを特徴とする。
【発明の効果】
【００１４】
本発明に係るフェンスは、支柱１において胴縁２を連結するべき位置に貫通された孔１１ａ、１１ｂを設けると共に、該孔は連結桿１０の入り口部分の孔１１ａの口径が大きく、出口部分の孔１１ｂの口径を小さく形成し、一方、連結桿１０は、前記支柱１の孔へ挿入する先側部分１０ｂの外径が前記出口部分の孔１１ｂの口径よりも小さく、他の部分１０ａの外径は支柱１の孔のうち前記出口部分の孔１１ｂよりは大きく、前記入り口部分の孔１１ａの口径よりも小さく形成し、連結桿１０は支柱１の孔に対して口径の大きい側から小さい側に向かって一方向にのみ通すことが可能に構成されているから、支柱１の孔１１ａ、１１ｂに対する連結桿１０の挿入方向は物理的に、且つ一義的に定まり、施工業者の誤解とかうっかり単純ミス等で支柱１に対する挿入方向を誤ることがない。よって、胴縁２の取り付け位置の誤り、ひいては前記胴縁２で支持されたフェンスパネルの取り付け位置を前後逆に取り付けてしまう誤作業を物理的、機械的に確実に防止できて、施工性も良い。
【発明を実施するための最良の形態】
【００１５】
フェンスパネルを支持する胴縁２が、支柱１を貫通させた連結桿１０により支柱１と連結されて成るフェンスにおいて、
支柱１には、胴縁２を連結するべき位置に連結桿１０を貫通させる孔１１ａ、１１ｂを設ける。該孔は前記連結桿１０の入り口部分の口径が大きく、出口部分の口径を小さく形成されている。
連結桿１０は、支柱１の前記孔へ挿入する先側部分１０ｂの外径が前記出口部分の孔口径よりも小さく、他の部分１０ａの外径は支柱１の前記出口部分の孔口径よりは大きく、前記入り口部分の孔口径よりも小さく形成され、連結桿１０は支柱１の孔に対して一方向にのみ通すことが可能に構成する。
連結桿１０のうち外径が大きく支柱１の孔の入り口部分の外側へ露出する端部に、前記胴縁２をその両側から挟み付けて支持するブラケット１２が取り付けられている。該ブラケット１２は一対の挟み具１２ａ、１２ｂから成り、一方の挟み具１２ａは連結桿１０の前記端部の先端と一体的に接合され、他方の挟み具１２ｂには連結桿１０の前記端部を通す孔１２ｃを設け、同孔１２ｃへ連結桿１０を通して組み合わされている。
連結桿１０が支柱１の孔１１ａ、１１ｂへ貫通され、胴縁２はブラケット１２を構成する前記一対の挟み具１２ａ、１２ｂで胴縁２の端部両側を挟み付けた状態とされ、連結桿１０の先側部分１０ｂが支柱１へ固定されている。
【実施例１】
【００１６】
以下に、図示した本発明の実施例を説明する。
図１と図２は、例えば図９中に円（イ）及び（ロ）で囲ったように、フェンスパネルの一例である金網５の上下を支持する水平部材たる上下の胴縁２、２を支柱１に連結したフェンスにおける、胴縁２と支柱１との連結構造の詳細を示している。前記水平部材たる胴縁２と支柱１とは、支柱１をフェンスの内外方向へ水平に貫通させた連結桿１０により連結されている。図示例の場合、支柱１は円管で、胴縁２は角管であることを示しているが、勿論この例の限りではない。
【００１７】
本実施例の場合、支柱１には、上記胴縁２（水平部材）を連結するべき位置に、前記連結桿１０を通すべく貫通された孔１１ａ、１１ｂがフェンスの内外方向にほぼ水平に設けられている。しかも該孔は、連結桿１０の入り口部分の孔１１ａの口径が大きく、出口部分の孔１１ｂの口径を小さく形成されている。
一方、本実施例の連結桿１０には、支柱１の入り口部分の孔１１ａの外側に露出する端部に、前記角管から成る胴縁２をその両側から挟み付けて支持する構成のブラケット１２が取り付けられている。そして、連結桿１０のうち、前記支柱１の孔へ挿入する先端部分１０ｂの外径は、支柱１の前記出口部分の孔１１ｂの口径よりは小さく、同孔１１ｂへ通すことが可能に構成されている。また、連結桿１０のうち、前記先側部分１０ｂを除いた部分１０ａの外径は、支柱１の孔のうち前記出口部分の孔１１ｂの口径よりは大きく、前記入り口部分の孔１１ａの口径よりも小さく形成され、もって入り口部分の孔１１ａへは通るが、出口部分の孔１１ｂには通らない構成とされている。
【００１８】
したがって、連結桿１０は、支柱１の孔に対して、仮に作業者が間違えて図１、図２の右側から左側方向へ挿入しようとしても、先側部分１０ｂは、支柱１の前記出口部分の孔１１ｂまでは通るが、それ以上には入らないので、この時点で作業者は挿入方向の誤りに気づく。すなわち、連結桿１０は、支柱１の孔に対して、図１、図２の左側から右側方向にのみ一方向に通すことができるから、フェンス構築作業の誤りは物理的、機械的に確実に未然に防止できるという訳である。  
【００１９】
図３には、上記角管から成る胴縁２を両側から挟み付けて支持するブラケット１２の構成を具体的に示している。このブラケット１２はアングルを所要の長さに切断したに等しい一対の挟み具１２ａと１２ｂの組み合わせから成り、一方の挟み具１２ａの内面の中央部に、連結桿１０の頭部が溶接等の手段によりほぼ垂直に一体的に接合されている。他方の挟み具１２ｂには、連結桿１０の大径部分１０ａを通すことが可能な口径の孔１２ｃが設けられている。また、連結桿１０の先側部分１０ｂには雄ネジ１０ｃが形成されている。
【００２０】
従って、上記構成の連結桿１０とブラケット１２の使用法は、先ず連結桿１０を他方の挟み具１２ｂの孔１２ｃへ通した上で、同連結桿１０を支柱１の孔１１ａ及び１１ｂへ貫通させ、反対側からネジ部１０ｃへナット１３をねじ込んで仮止め状態とする。その上で、図１、図２に示すように、一対の挟み具１２ａと１２ｂの間へ、両側から胴縁２、２を差し込んで支持させ、しかる後にナット１３を本締めして連結の目的が達成される（請求項２記載の発明）。
【実施例２】
【００２１】
図４には、胴縁２が円管である場合に、この胴縁２を支持するブラケット１２が半月板形状の一対の挟み具１２ａと１２ｂで構成された実施例を示している。円管による胴縁２は、上記第１実施例のように、アングルを利用したブラケット１２でもきっちり支持させることができる。
【実施例６】
【００２６】
その他、図示することは省略したが、上記の各連結桿１０において、支柱の孔へ挿入する先側部分の先端寄り位置にピン孔、或いはコッタ孔の如く直径線方向（又は横断方向）に貫通された止め孔を形成し、この止め孔に止めピン又はコッタを差して水平部材の連結を行う構成でも実施することもできる。つまり、上記実施例で説明したネジ部１０ｃとナット１３による結合手段に限らないということである。
【図面の簡単な説明】
【００２７】
【図１】フェンスにおける水平部材を連結桿で支柱と連結した実施例を部分的に拡大して示す平面図である。
【図２】図１の立面方向の断面図である。
【図３】ブラケットの構造を分解して示す斜視図である。
【図４】図２とは異なる実施例を示す立面断面図である。
【図５】フェンスの構造例を示す立面図である。
【図６】前記フェンスの側面図である。
【符号の説明】
【００２８】
２、３、４        水平部材（胴縁、骨線、有刺鉄線）
１                支柱
１０              連結桿
１１ａ、１１ｂ    支柱の孔（大口径孔、小口径孔）
１０ｂ            連結桿の先側部分（小径部分）
１０ａ            連結桿の他の部分（大径部分）
１０ｃ            ネジ部
１３              ナット
１２              ブラケット
【図１】
0003612578.tif 000002
【図２】
0003612578.tif 000003
【図３】
0003612578.tif 000004
【図４】
0003612578.tif 000005
【図５】
0003612578.tif 000006
【図６】
0003612578.tif 000007